(57)【要約】【課題】任意の方向に力が作用しても容易に分離せず、かつ本体の表裏を同一形状にすることが可能なクラスプを提供する。【解決手段】開口（１１０）が一端に形成された筐体（３０）と、前記開口に挿入される挿入部材（２０）と、を備えたクラスプ（１０）であって、前記筐体は、該筐体の外枠を構成するフレーム部材（８０，９０）と、該フレーム部材の内部に設けられ、前記開口から挿入された前記挿入部材を支持する支持部材（１００）と、を備え、前記フレーム部材は、前記支持部材が支持する挿入部材を固定するための係止手段（８０ｃ，９０ｃ）を有する。ここで、第１のフレーム部材（８０）と、第２のフレーム部材（９０）とは、同一部材である。【選択図】図１
2010263927.tif 000002
【特許請求の範囲】
【請求項１】
開口が一端に形成された筐体と、前記開口に挿入される挿入部材と、を備えたクラスプであって、
前記筐体は、
該筐体の外枠を構成するフレーム部材と、
該フレーム部材の内部に設けられ、前記開口から挿入された前記挿入部材を支持する中空の支持部材と、
を備え、
前記フレーム部材は、前記支持部材が支持する挿入部材を固定するための係止手段を有することを特徴とするクラスプ。
【請求項２】
前記フレーム部材は、第１のフレーム部材と、第２のフレーム部材とを組み合わせることによって形成されることを特徴とする請求項１に記載のクラスプ。
【請求項３】
前記第１のフレーム部材と、前記第２のフレーム部材とは、同一部材であることを特徴とする請求項２に記載のクラスプ。
【請求項４】
前記挿入部材は溝を有し、
前記フレーム部材の係止手段は、前記挿入部材の溝に係合するための凸部と、該凸部を前記溝に挿入するよう付勢する付勢手段と、を含むことを特徴とする請求項１ないし３の何れか一項に記載のクラスプ。
【請求項５】
請求項１ないし４の何れか一項に記載のクラスプを備えたアクセサリ。
【発明の詳細な説明】
【技術分野】
【０００１】
本発明はクラスプ（連結具）に関し、より詳細には、ネックレス、ブレスレット等のアクセサリに適用されるクラスプに関する。
【背景技術】
【０００２】
添付図面の図４ないし図５を参照して、特許文献１が示すようなネックレス、ブレスレット等のアクセサリに使用されるクラスプ（連結具）について説明をする。このクラスプ１０００は、主に挿入部材１１００と筐体１２００とから構成され、挿入部材１１００が、筐体１２００の開口部１２３０に挿入され、筐体１２００の内部に固定されることでクラスプが形成される。
【０００３】
まず、図４を参照すると、挿入部材１１００は棒形状を有し、筐体１２００に挿入され、固定される役割を果たす。挿入を容易にするために挿入側端部に先細の頭部１１５０が形成され、反対側端部にアクセサリ等に連結されるための環部１１７０を有する連結部１１６０が形成されている。そして、中央円周部分に凹状の係合溝部１１８０が形成されている。一方、筐体１２００は箱形状を有し、下面全体を開口した蓋体１２１０と、該蓋体の内部に勘合し、かつ上面全体を開口した底体１２２０とから主に構成される。蓋体１２１０の長手方向の一側面には、挿入部材１１００の断面直径よりも若干長い直径を有する開口部１２３０が形成されている。底体１２２０と蓋体１２１０とは、支軸１２４０を介して相互に連結され、底体１２２０は支軸１２４０を中心にピボット動作が可能である。また、底体１２２０の表面片側には複数の線上の凹凸からなる押圧部１２５０が形成されている。
【０００４】
次に、図５を参照すると、底体１２２０の内側には、挿入部材１１００の外径と略同一の内径を有する２つのガイド部１２６０が形成されている。開口部１２３０と対応する一側面は、挿入部材１１００の係合溝部１１８０の外径と略同一の直径を有する半円状の係止部１２７０を備える。さらに、支軸１２４０の外周には略コの字状のコイルバネ１２８０が巻かれており、このコイルバネ１２８０により底体１２２０はこの図で反時計回りの方向に支軸１２４０を中心にして付勢されている。
【０００５】
次に、クラスプ１０００における挿入部材１１００と筐体１２００との接続手順について説明する。
最初に、ユーザが挿入部材１１００の頭部１１５０を、筐体１２００の開口部１２３０に挿入する。さらに、挿入部材１１００を筐体１２００の内部に押し込むと、挿入部材１１００は自身の外周面をガイド部１２６０の内周面に接触しながら筐体１２００の内部に進行し、やがて挿入部材１１００の頭部１１５０の先端がコイルバネ１２８０に接触する。次いで、コイルバネ１２８０が挿入部材１１００によって押し上げられ、その状態で挿入部材１１００の係合溝部１１８０が底体１２２０の開口部１２３０に達した時点で、係止部１２７０がコイルバネ１２８０の付勢力によって係合溝部１１８０に係合する。その結果、挿入部材１１００は筐体１２００に固定される。
【０００６】
一方、挿入部材１１００と筐体１２００とを相互に分離させる場合には、まず、ユーザが底体１２２０の押圧部１２５０を指で押す。それに応じて、底体１２２０がコイルバネ１２８０の付勢力に逆らって支軸１２４０を中心に図５において時計回りの方向にピボット動作する。それにより、挿入部材１１００の係合溝部１１８０に係合していた底体１２２０の係止部１２７０が係合溝部１１８０から離脱する。この状態でユーザが挿入部材１１００を筐体１２００から引き抜けば、挿入部材１１００と筐体１２００とが相互に分離する。
【０００７】
以上のクラスプ１０００をネックレス等のアクセサリに適用すれば、接続が容易なアクセサリを提供することが可能となる。
【先行技術文献】
【特許文献】
【０００８】
【特許文献１】特開２０００−３１６６１６
【発明の概要】
【発明が解決しようとする課題】
【０００９】
しかしながら、上記の構造を有するクラスプには以下に示すような不都合がある。
クラスプ１０００の挿入部材１１００と筐体１２００とが相互に接続された状態で、挿入部材１１００の連結部１１６０が図５に示す矢印に示す方向に強く引っ張られた場合に、底体１２２０が支軸１２４０を中心に時計方向にピボット動作をし、それに伴い挿入部材１１００の係合溝部１１８０と筐体１２００の係止部１２７０との係合が解除されて挿入部材１１００が筐体１２００から外れてしまう可能性がある。
【００１０】
さらに、クラスプ１０００の筐体１２００の形状が表裏同一ではない。このクラスプをネックレス等のアクセサリに適用した場合を想定する。一般に、クラスプ１０００がペンダントヘッドの役割を果たし、筐体１２００の蓋体１２１０側が表になるようにユーザに装着されるが、この時にアクセサリがねじれると、クラスプ１０００が反転して底体１２２０側が表になってしまう。これでは、アクセサリの外観が大きく損なわれてしまう。
【００１１】
本発明は上述の不都合を斟酌して創案されたものであり、本発明の目的は、任意の方向に力が作用しても容易に分離しないクラスプを提供することである。本発明の他の目的は、本体の表裏を同一形状にすることが可能なクラスプを提供することである。
【課題を解決するための手段】
【００１２】
前記課題を解決するために創案された請求項１の発明は、開口が一端に形成された筐体と、前記開口に挿入される挿入部材と、を備えたクラスプであって、前記筐体は、該筐体の外枠を構成するフレーム部材と、該フレーム部材の内部に設けられ、前記開口から挿入された前記挿入部材を支持する中空の支持部材と、を備え、前記フレーム部材は、前記支持部材が支持する挿入部材を固定するための係止手段を有することを特徴とする。
【００１３】
前記課題を解決するために創案された請求項２の発明は、請求項１に記載のクラスプにおいて、前記フレーム部材は、第１のフレーム部材と、第２のフレーム部材とを組み合わせることによって形成されることを特徴とする。
【００１４】
前記課題を解決するために創案された請求項３の発明は、請求項２に記載のクラスプにおいて、第１のフレーム部材と、第２のフレーム部材とは、同一部材であることを特徴とする。
【００１５】
前記課題を解決するために創案された請求項４の発明は、請求項１ないし３の何れか一項に記載のクラスプにおいて、前記挿入部材は溝を有し、前記フレーム部材の係止手段は、前記挿入部材の溝に係合するための凸部と、該凸部を前記溝に挿入するよう付勢する付勢手段と、を含むことを特徴とする。
【００１６】
前記課題を解決するために創案された請求項５の発明は、請求項１ないし４の何れか一項に記載のクラスプを備えたアクセサリである。
【００１７】
請求項１の発明では、クラスプの筐体において、挿入部材を支持する支持部材と、挿入部材を固定するフレーム部材とが別体となっているため、挿入部材と筐体とが接続された状態で挿入部材に任意の方向に力が加わっても、その力の影響が及ぶのは支持部材のみであり、挿入部材を固定しているフレーム部材には影響が及ばない。したがって、挿入部材がユーザの意に反して筐体から外れる恐れがなく、安定した接続を提供することができる。
【００１８】
請求項２の発明では、フレーム部材が第１および第２のフレーム部材である２つの部材から構成されるため、挿入部材を挟むようにして第１および第２のフレーム部材を連結させれば筐体を組み立てることができる。したがって、組み立てが容易なクラスプを提供することができる。
【００１９】
請求項３の発明では、第１のフレーム部材と第２のフレーム部材とが同一部材で構成されているため、低い材料コストで、かつ単純な構造のクラスプを提供することができる。
【００２０】
請求項４の発明では、凸部とバネ等の付勢手段とで係止手段を構成しているため、単純な機構構造を有するクラスプを提供することができる。
【００２１】
請求項５の発明では、本発明のクラスプをアクセサリの形態で提供することができる。
【発明の効果】
【００２２】
本発明によって、任意の方向に力が作用しても容易に分離しない、安定した接続性を有し、さらに本体の表裏を同一形状にすることが可能なクラスプを提供することができる。
【図面の簡単な説明】
【００２３】
【図１】本発明の一実施形態に係るクラスプの斜視図である。
【図２】本発明の一実施形態に係るクラスプの分解斜視図である。
【図３】本発明の一実施形態に係るクラスプの断面図であり、接続手順を説明するための図である。
【図４】従来のクラスプの斜視図である。
【図５】従来のクラスプの断面図である。
【発明を実施するための形態】
【００２４】
図１ないし図３の添付図面を参照して、本発明の一実施形態に係るクラスプの構造を以下に詳細に説明する。
図１は、本発明の一実施形態に係るクラスプ１０を示している。図示のようにクラスプ１０は、主に挿入部材２０と筐体３０とから構成される。
【００２５】
挿入部材２０は棒形状を有し、一端に形成された先細状の頭部４０と、他端に形成され、孔を有する連結部６０と、該連結部の孔を貫通し、アクセサリの数珠に連結する環部７０と、外周に凹状に設けられた係合溝部５０と、を備える。
【００２６】
筐体３０は箱形状を有し、主に、同一形状の第１のフレーム８０および第２のフレーム９０と、これらのフレームの内部に設けられ、一端に挿入部材２０の外周よりも若干大きな直径を有する開口部１１０を備えた支持体１００と、から構成される。また、支持体１００の他端には、孔を有する連結部１３０と、該連結部とアクセサリの数珠とを接続する環部１４０と、が設けられている（図２参照）。第１のフレーム８０は、平坦部８１０と傾斜部８２０とを有する。図示しないが第２のフレーム９０も同様に平坦部９１０と傾斜部９２０とを有する。なお、第１のフレーム８０および第２のフレーム９０は、支軸１２０を中心にピボット運動が可能である。
【００２７】
次に、図２を参照して筐体３０を構成する各部材の構造について説明する。支持体１００は、一体に形成された筒状の第１の支持体２００と角形の第２の支持体３００とから構成される。第１の支持体２００は、開口部１１０に加え、上下にそれぞれ形成された一対の溝２００ａを有する。第２の支持体３００は、両側面に形成された一対の孔３００ａと、上下に貫通する空間３００ｂと、一対のコイルバネ１５０をそれぞれ収容するための一対のバネ収納部３００ｃと、を有する。なお、一対の孔３００ａと空間３００ｂとは、相互に連通している。
【００２８】
第２のフレーム９０は、長手方向一側面に形成された第１の切り欠き９０ａと、短手方向の両側面に形成された一対の第２の切り欠き９０ｂと、底面から伸長する係止部９０ｃおよび孔９０ｅを有する突出部９０ｄと、を有する。ここで、円弧状の第１の切り欠き９０ａの内径は支持体１００の第１の支持体２００の外径と略同一で、円弧状の第２の切り欠き９０ｂおよび孔９０ｅの内径は支軸１２０の外径と略同一で、係止部９０ｃは第１の支持体２００の溝２００ａに挿入可能な形状で、突出部９０ｄは空間３００ｂに挿入可能な形状である。なお、図示していないが、第１のフレーム８０も同様に第１の切り欠き８０ａと、一対の第２の切り欠き８０ｂと、係止部８０ｃと、孔８０ｅを備える突出部８０ｄと、を有する。
【００２９】
次に、上記筐体３０を構成する各部材の組み立て方法について説明する。まず、支持体１００の連結部１３０に環部１４０を接続した後、一対のバネ収納部３００ｃにそれぞれコイルバネ１５０を収容する。その後、第１のフレーム８０と第２のフレーム９０とを、支持体１００を挟み込むようにして組み合わせる。このとき、第１の支持体２００の先端が、第１のフレーム８０の第１の切り欠き８０ａと第２のフレーム９０の第１の切り欠き９０ａとの間に配置される。さらに、第１のフレーム８０の突出部８０ｄと第２のフレーム９０の突出部９０ｄとが支持体１００の空間３００ｂに挿入された状態で、支持体１００の第２の支持体３００の孔３００ａと、第１のフレーム８０の第２の切り欠き９０ｂと第２のフレーム９０の第２の切り欠き８０ｂとで画定される孔と、第１のフレーム８０の突出部８０ｄの孔８０ｅと、第２のフレーム９０の突出部９０ｄの孔９０ｅと、が一直線状に並ぶように配置される。また、第１のフレーム８０の係止部８０ｃと第２のフレーム９０の係止部９０ｃがそれぞれ第１の支持体２００の溝２００ａに係合する。最後に、支軸１２０を、第１のフレーム８０および第２のフレーム９０の第２の切り欠き８０ｂ、９０ｂとで画定される孔から孔３００ａ、８０ｅ、９０ｅに貫通されれば、筐体３０が形成される。
【００３０】
筐体３０が形成されると、第１のフレーム８０および第２のフレーム９０の傾斜部８２０、９２０により、支持体１００の連結部１３０が外部に露出されるようになる。また、コイルバネ１５０により、第１のフレーム８０の係止部８０ｃと第２のフレーム９０の係止部９０ｃとがそれぞれ第１の支持体２００の溝２００ａに挿入される方向に付勢される。
【００３１】
次に、図３（ａ）ないし（ｅ）を参照して、上記クラスプ１０の挿入部材２０を筐体３０に接続する手順、あるいは接続を解除する手順について説明する。
まず、ユーザが挿入部材２０の頭部４０を筐体３０の開口部１１０に挿入する（図３（ａ）参照）。挿入すると、さらに挿入部材２０を開口部１１０の中に押し込む。やがて、挿入部材２０の頭部４０が第１のフレーム８０の係止部８０ｃおよび第２のフレーム９０の係止部９０ｃに接触する（図３（ｂ）参照）。それに応じて、第１のフレーム８０および第２のフレーム９０がコイルバネ１５０の付勢力に逆らう方向にピボット運動をする（図３（ｃ）参照）。その後、挿入部材２０は、その外周が係止部８０ｃ、９０ｃと接触した状態で、支持体１００の内部に進み、挿入部材２０の係合溝部５０と係止部８０ｃ、９０ｃとが並ぶと、コイルバネ１５０の付勢力によって、係止部８０ｃ、９０ｃが係合溝部５０に係合する（図３（ｄ）参照）。その結果、挿入部材２０が固定され、挿入部材２０と筐体３０との接続が完了する。
【００３２】
一方、挿入部材２０と筐体３０とを分離させる場合には、まず、ユーザは筐体３０に図３に示す方向に力を加える（図３（ｅ）参照）。それに応じて、第１のフレーム８０と第２のフレーム９０とがコイルバネ１５０の付勢力に逆らってピボット運動をし、係止部８０ｃ、９０ｃの係合溝部５０への係合が解除される。この状態で挿入部材２０を引っ張れば筐体３０から引き抜かれる。その結果、挿入部材２０と筐体３０とが分離される（図３（ａ）参照）。
このように、クラスプ１０の挿入部材２０と筐体３０とは、簡単な手順で接続および分離が可能である。
【００３３】
なお、クラスプ１０を構成する各部材の材料は特に限定されるものではなく、各種金属、樹脂等の任意の材料を用いてよい。同様に、各部材の製法も削り、張り合わせ、エッチング、金型やプレス機を用いたモールド加工等、任意の加工手法を用いてよい。
【００３４】
以上の構造を有するクラスプ１０は以下のような２つの顕著な長所を有する。
挿入部材２０と筐体３０とが接続された状態で、アクセサリが引っ張られる等により挿入部材２０に挿入方向と直角または斜め方向に力が作用した場合を想定する。この場合、この力は支持体１００のみに作用する。したがって、挿入部材２０を固定する機能を有するコイルバネ１５０や係止部８０ｃ、９０ｃには如何なる力も作用しない。そのため、挿入部材２０の固定は解除されず、そのまま保持される。つまり、挿入部材２０を支持する支持体１００と、挿入部材２０を固定する係止部８０ｃ、９０ｃとを別部材で構成することにより、ユーザの意に反して接続が解除されることを防止することができ、安定した接続を提供することが可能となる。
【００３５】
さらに、筐体３０が同一形状を有する第１のフレーム８０および第２のフレーム９０で構成されているため、クラスプ１０をネックレス等のアクセサリに好適に適用することができる。つまり、筐体３０をアクセサリのペンダントヘッドとして使用した場合、アクセサリがねじれて筐体３０が反転しても、筐体３０の表裏が同一形状のためアクセサリの外観を損ねることがない。さらに、筐体の加工コストを低減させることが可能になる。
【００３６】
以上に渡り、本発明の一実施形態に係るクラスプ１０の構造を説明したが、本発明はこの構造に限定されるものではない。
例えば、本実施形態では挿入部材２０の断面と開口部１１０の形状は略真円となっているが、代替的に楕円や正方形を含む任意の形状であってよい。また、本実施形態では、第１のフレーム８０と第２のフレーム９０とが同一形状を有するが、必ずしも双方が同一形状を有する必要がない。代替的に、双方の内部形状が同一であれば異なる外形を有してよいし、さらに、異なる色彩や模様を有してよい。あるいは、第１のフレーム８０と第２のフレーム９０とを、一体構造としてもよい。
【００３７】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【符号の説明】
【００３８】
１０    クラスプ
２０    挿入部材
３０    筐体
４０    頭部
５０    係合溝部
６０    連結部
７０    環部
８０    第１のフレーム
８０ａ  第１の切り欠き
８０ｂ  第２の切り欠き
８０ｃ  係止部
８０ｄ  突起部
８０ｅ  孔
９０    第２のフレーム
９０ａ  第１の切り欠き
９０ｂ  第２の切り欠き
９０ｃ  係止部
９０ｄ  突起部
９０ｅ  孔
１００  支持体
１１０  開口部
１２０  支軸
１３０  連結部
１４０  環部
１５０  コイルバネ
２００  第１の支持体
２００ａ  溝
３００  第２の支持体
３００ａ  孔
３００ｂ  空間
３００ｃ  バネ収納部
【図１】
2010263927.tif 000003
【図２】
2010263927.tif 000004
【図３】
2010263927.tif 000005
【図４】
2010263927.tif 000006
【図５】
2010263927.tif 000007